(57)【特許請求の範囲】
【請求項１】
撮像素子を備える撮像装置と、前記撮像装置と交換レンズとの間のフランジバックを調節するマウントアダプタと、を備える撮像システムであって、
前記マウントアダプタは、
位相差から焦点検出をおこなう位相差焦点検出部と、
前記交換レンズからの入射光を前記撮像素子の入射光と前記位相差焦点検出部の入射光とに分割する光学装置と、
前記交換レンズの種類と前記撮像装置の種類との組み合わせ毎の、前記位相差焦点検出部のピント位置の調整に用いる第１調整値を格納した第１記憶部と、を備え、
前記撮像装置は、
前記撮像素子によりコントラストから焦点検出をおこなうコントラスト焦点検出部と、
前記交換レンズの種類と前記マウントアダプタの種類との組み合わせ毎の、前記位相差焦点検出部のピント位置の調整に用いる第２調整値が格納される第２記憶部と、
装着が検出された前記交換レンズおよび前記マウントアダプタに対応する前記第２調整値が前記第２記憶部にない場合には該撮像装置および装着により検出された前記交換レンズに対応する前記第１調整値を前記第１記憶部から取得し、当該第１調整値を用いて前記位相差焦点検出部のピント位置を調整する調整部と、
を備える撮像システム。
【請求項２】
前記調整部は、装着が検出された前記交換レンズおよび前記マウントアダプタに対応する前記第２調整値が前記第２記憶部にある場合には当該第２調整値を用いて前記位相差焦点検出部のピント位置を調整する
請求項１記載の撮像システム。
【請求項３】
前記調整部は、前記コントラスト焦点検出部による合焦検出により、前記位相差焦点検出部の残存デフォーカス量をリセットしてピント位置の調整をおこなう
請求項１又は２記載の撮像システム。
【請求項４】
前記調整部は、前記位相差焦点検出部によりデフォーカス量を変動させながら、前記コントラスト焦点検出部が検出するコントラスト量を取得し、前記コントラスト量のピーク値に対応するデフォーカス量を前記残存デフォーカス量としてピント位置の調整をおこなう
請求項３記載の撮像システム。
【請求項５】
前記調整部は、前記交換レンズを所定単位で駆動しながら、前記位相差焦点検出部によるデフォーカス量と、前記コントラスト焦点検出部が検出するコントラスト量とを取得し、前記コントラスト量のピーク値に対応するデフォーカス量を前記残存デフォーカス量としてピント位置の調整をおこなう
請求項３記載の撮像システム。
【請求項６】
前記撮像装置は、前記交換レンズおよび前記マウントアダプタを識別する識別部
をさらに備える請求項１乃至５に記載の撮像システム。
【請求項７】
撮像装置と交換レンズとの間のフランジバックを調節するマウントアダプタであって、
位相差から焦点検出をおこなう位相差焦点検出部と、
前記交換レンズからの入射光を前記撮像装置の入射光と前記位相差焦点検出部の入射光とに分割する光学装置と、
前記交換レンズの種類と前記撮像装置の種類との組み合わせ毎の、前記位相差焦点検出部のピント位置の調整に用いる第１調整値を格納した記憶部と、
を備え、
装着が検出された前記交換レンズおよび前記マウントアダプタに対応する、前記位相差焦点検出部のピント位置の調整に用いる第２調整値が前記撮像装置にない場合に、前記マウントアダプタに装着された前記交換レンズおよび前記撮像装置に対応する前記第１調整値が前記撮像装置により前記記憶部から取得され、当該第１調整値を用いて前記位相差焦点検出部のピント位置が調整される
マウントアダプタ。
【請求項８】
前記撮像装置は、前記交換レンズの種類と前記マウントアダプタの種類との組み合わせ毎の、前記位相差焦点検出部のピント位置の調整に用いる前記第２調整値を有し、
前記位相差焦点検出部のピント位置は、前記撮像装置により装着が検出された前記交換レンズおよび前記マウントアダプタに対応する前記第２調整値がある場合には当該第２調整値を用いて調整される
請求項７記載のマウントアダプタ。
【請求項９】
コントラスト検出方式により焦点検出をおこなうコントラスト焦点検出部と、
交換レンズが接続される接続部と、前記交換レンズからの入射光を分割する光学装置と、前記光学装置で分割された前記入射光から位相差検出方式により焦点検出をおこなう位相差焦点検出部と、前記交換レンズの種類と撮像装置の種類との組み合わせ毎の、前記位相差焦点検出部のピント位置の調整に用いる第１調整値を格納した第１記憶部とを有するマウントアダプタ、および、前記マウントアダプタに接続された前記交換レンズの接続を検出し、前記位相差焦点検出部のピント位置を調整する調整部と、
前記交換レンズの種類と前記マウントアダプタの種類との組み合わせ毎の、前記位相差焦点検出部のピント位置の調整に用いる第２調整値が格納される第２記憶部と、
を備え、
前記調整部は、装着が検出された前記交換レンズおよび前記マウントアダプタに対応する前記第２調整値が前記第２記憶部にない場合には該撮像装置および装着により検出された前記交換レンズに対応する前記第１調整値を前記第１記憶部から取得し、当該第１調整値を用いて前記位相差焦点検出部のピント位置を調整する
撮像装置。
【請求項１０】
前記調整部は、装着が検出された前記交換レンズおよび前記マウントアダプタに対応する前記第２調整値が前記第２記憶部にある場合には当該第２調整値を用いて前記位相差焦点検出部のピント位置を調整する
請求項９記載の撮像装置。
【請求項１１】
コンピュータに、
コントラスト検出方式により焦点検出をおこなう第１の処理、および
交換レンズが接続される接続部と、前記交換レンズからの入射光を分割する光学装置と、前記光学装置で分割された前記入射光から位相差検出方式により焦点検出をおこなう位相差焦点検出部と、前記交換レンズの種類と撮像装置の種類との組み合わせ毎の、前記位相差焦点検出部のピント位置の調整に用いる第１調整値を格納した第１記憶部とを有するマウントアダプタ、および、前記マウントアダプタに接続された前記交換レンズの接続を検出し、前記位相差焦点検出部のピント位置を調整する第２の処理を実行させ、
前記第２の処理では、前記交換レンズの種類と前記マウントアダプタの種類との組み合わせ毎の、前記位相差焦点検出部のピント位置の調整に用いる第２調整値が格納される第２記憶部を参照し、装着が検出された前記交換レンズおよび前記マウントアダプタに対応する前記第２調整値が前記第２記憶部にない場合には該撮像装置および装着により検出された前記交換レンズに対応する前記第１調整値を前記第１記憶部から取得し、当該第１調整値を用いて前記位相差焦点検出部のピント位置を調整する処理を実行させるためのプログラム。
【発明の詳細な説明】
【技術分野】
【０００１】
本発明は、撮像システム、マウントアダプタ、撮像装置、およびプログラムに関する。
【背景技術】
【０００２】
近年、デジタル一眼レフカメラは、急速な普及をはたしたが、ボディサイズの一層の小型軽量化の要求に応えることができていない。これは、一眼レフデジタルカメラが撮影用光路とファインダ用光路を切り替えるレフレックスミラーや、被写体像をファインダ（ＯＶＦ：Optical View Finder）に案内するペンタプリズムをカメラボディ内に収めるためにやむを得ないとされる。
【０００３】
そこで、ＯＶＦに代えて電子ビューファインダ（ＥＶＦ：Electronic ViewFinder）を備えることで、レフレックスミラーを排除して小型軽量化を図ったミラーレスと呼ばれるデジタル一眼カメラ（ミラーレスデジタル一眼カメラ）が登場している。しかしながら、ミラーレスデジタル一眼カメラは、レフレックスミラーと同時に、焦点検出部に入射光を案内するサブミラーを排除したことで、カメラ本体による位相差検出方式の焦点検出がおこなえなくなった。
【０００４】
また、ミラーレスデジタル一眼カメラは、デジタル一眼レフカメラに比較してフランジバックが短縮されたため、デジタル一眼レフカメラに装着可能だった交換レンズをそのままでは使用できない。そこで、従来の交換レンズ資産を有効に活用するため、ミラーレスデジタル一眼カメラは、マウントアダプタを介することで、デジタル一眼レフカメラ用の交換レンズを装着可能としている。
【０００５】
そして、位相差検出方式に対応した交換レンズを装着可能とするために、このマウントアダプタに位相差検出方式の焦点検出部を備える撮像装置の提案がある（たとえば、特許文献１参照）。
【先行技術文献】
【特許文献】
【０００６】
【特許文献１】国際公開第２００８／０９９６０５号公報
【発明の概要】
【発明が解決しようとする課題】
【０００７】
しかしながら、提案された撮像装置は、カメラボディと交換レンズとの間に中間アクセサリとなるマウントアダプタを装着することで、フランジバックと等価であることが必要なＡＦ（Auto Focus）センサバックの誤差が増大するという欠点があった。ＡＦセンサバックとは、交換レンズのマウント面からＡＦセンサまでの距離であり、このＡＦセンサバックの誤差は、焦点調節の精度を低下させ、記録画像の品質を低下させる要因となっている。
【０００８】
また、カメラボディは、自身が備えるイメージセンサを用いてコントラストＡＦ（像面ＡＦ）をおこなうことができ、フランジバックの誤差がピント調節に影響することがない。そのため、マウントアダプタに備えられたＡＦセンサ（位相差ＡＦセンサ）は、コントラストＡＦに比較して精度で劣り、微妙なピント調整をおこないたい場面での使い勝手が十分ではなかった。
【０００９】
本発明は、このような点に鑑みてなされたものであり、マウントアダプタが備えるＡＦセンサのピント精度を向上可能な撮像システム、マウントアダプタ、撮像装置、およびプログラムの提供を目的とする。
【課題を解決するための手段】
【００１０】
上記課題を解決するために、撮像システムは、撮像素子を備える撮像装置と、撮像装置と交換レンズとの間のフランジバックを調節するマウントアダプタを備える。
【００１１】
マウントアダプタは、位相差焦点検出部と、光学装置と、を備える。位相差焦点検出部は、位相差から焦点検出をおこなう。光学装置は、交換レンズからの入射光を撮像素子の入射光と位相差焦点検出部の入射光とに分割する。
【００１２】
撮像装置は、コントラスト焦点検出部と、調整部と、調整制御部と、を備える。コントラスト焦点検出部は、撮像素子によりコントラストから焦点検出をおこなう。調整部は、位相差焦点検出部のピント位置を調整する。調整制御部は、マウントアダプタおよび交換レンズの装着検出によりピント位置の調整制御を有効化する。
【００１３】
また、上記課題を解決するために、撮像装置と交換レンズとの間のフランジバックを調節するマウントアダプタは、位相差焦点検出部と、光学装置と、記憶部と、を備える。位相差焦点検出部は、位相差から焦点検出をおこなう。光学装置は、交換レンズからの入射光を撮像装置の入射光と位相差焦点検出部の入射光とに分割する。記憶部は、位相差焦点検出部のピント位置を調整した調整値を記憶する。
【００１４】
また、上記課題を解決するために、撮像装置は、デフォーカス量取得部と、コントラスト焦点検出部と、記憶部と、を備える。デフォーカス量取得部は、撮像装置と交換レンズとの間のフランジバックを調節するとともに、交換レンズからの入射光を分割して位相差方式により焦点検出をおこなう位相差焦点検出部を有するマウントアダプタから、位相差焦点検出部のデフォーカス量を取得する。コントラスト焦点検出部は、撮像素子によりコントラストから焦点検出をおこなう。記憶部は、位相差焦点検出部のピント位置を調整した調整値を記憶する。
【発明の効果】
【００１５】
上記の撮像システム、マウントアダプタ、および撮像装置によれば、マウントアダプタが備えるＡＦセンサのピント精度の向上を可能にする。
【図面の簡単な説明】
【００１６】
【図１】第１の実施形態の撮像システムの構成例を示す図である。
【図２】第１の実施形態の撮像システムのブロック構成例を示す図である。
【図３】第１の実施形態のＡＦセンサユニットのデフォーカス量調整環境を示す図である。
【図４】第１の実施形態のデフォーカス量調整処理のフローチャートである。
【図５】第１の実施形態のＡＦセンサユニットのデフォーカス量調整例を示す図である。
【図６】第１の実施形態の撮像装置の調整情報テーブルの一例を示す図である。
【図７】第１の実施形態のデフォーカス量調整機能有効化処理のフローチャートである。
【図８】第１の実施形態の機能選択処理のフローチャートである。
【図９】第２の実施形態のデフォーカス量調整処理のフローチャートである。
【図１０】第３の実施形態のマウントアダプタの調整情報テーブルの一例を示す図である。
【発明を実施するための形態】
【００１７】
以下、本発明の実施の形態を図面を参照して詳細に説明する。
【００１８】
［第１の実施形態］
まず、第１の実施形態の撮像システムの全体構成について図１を用いて説明する。図１は、第１の実施形態の撮像システムの構成例を示す図である。
【００１９】
撮像システム１は、撮像装置（カメラボディ）２と、マウントアダプタ１０と、レンズ（交換レンズ）７を備える。撮像装置２は、デジタル一眼レフカメラよりフランジバックを短縮して小型軽量化を図ったミラーレスデジタル一眼カメラのカメラボディである。レンズ７は、デジタル一眼レフカメラ用の交換レンズであり、フランジバックが異なるので撮像装置２に直接装着することができない。また、レンズ７は、撮像装置２とインタフェースが異なるために装着できない場合もある。
【００２０】
マウントアダプタ１０は、撮像装置２とレンズ７の間に装着される。マウントアダプタ１０は、ミラーレスデジタル一眼カメラとデジタル一眼レフカメラとで異なるフランジバックを調整する。ミラーレスデジタル一眼カメラのフランジバックは、デジタル一眼レフカメラのフランジバックより短いため、マウントアダプタ１０の装着によりレンズ７に対応したフランジバックに調整される。
【００２１】
撮像装置２は、シャッタ３、背面ＬＣＤ（Liquid Crystal Display）４、撮像素子５、マウント６、その他に図示しない制御装置やバッテリ、レリーズボタン等の各種操作部、各種センサなどを備える。撮像素子５は、シャッタ３を通過した光を検出して、被写体の撮像のほか、背面ＬＣＤ４をＥＶＦとして機能させるための画像出力、コントラスト方式の焦点検出をおこなう。
【００２２】
マウント６は、撮像装置２をミラーレスデジタル一眼カメラに対応したレンズに装着するための接合部である。マウント６は、レンズを保持するための接合部形状を有するほか、焦点検出情報（たとえば、測距情報など）や絞り値の情報など各種情報を、撮像装置２とレンズ間で入出力するための接点を有する。
【００２３】
マウントアダプタ１０は、マウント１１、マウント１２、ＡＦセンサユニット１３、薄膜ミラー（ペリクルミラー）１４、鏡胴１５、その他に図示しない制御装置や、表示部、各種操作部などを備える。なお、マウントアダプタ１０は、撮像装置２側の開口およびレンズ７側の開口に、図示しない光透過性の蓋部（たとえば、保護ガラスやフィルタ等）を設けてもよい。蓋部は、内部への塵や埃の進入防止のほか、ＡＦセンサユニット１３、薄膜ミラー１４を外力による損傷から保護する。
【００２４】
マウント１１は、マウントアダプタ１０を撮像装置２に装着するための接合部である。マウント１１は、撮像装置２に保持されるための接合部形状を有するほか、焦点検出情報や絞り値の情報など各種情報を、撮像装置２とマウントアダプタ１０で入出力するための接点を有する。マウント１２は、デジタル一眼レフカメラに対応したレンズ７をマウントアダプタ１０に装着するための接合部である。マウント１２は、レンズ７を保持するための接合部形状を有するほか、焦点検出情報や絞り値の情報など各種情報を、撮像装置２とレンズ７間で入出力するための接点を有する。
【００２５】
ＡＦセンサユニット（焦点検出部）１３は、コンデンサレンズ、ＩＲ（InfraRed）カットフィルタ、絞りマスク、セパレータレンズ等の光学部材を含んで構成され、被写体から導かれた光をＡＦセンサに入射させて位相差方式の焦点検出をおこなう。ＡＦセンサユニット１３は、たとえば、測距情報などの焦点調節に用いる焦点検出情報を出力する。なお、ＡＦセンサユニット１３は、デジタル一眼レフカメラのフランジバックに対応するＡＦセンサバックとなる位置に設けられる。
【００２６】
薄膜ミラー１４は、被写体側（レンズ７側）から入射する光Ｌ１を、撮像素子５に入射する光Ｌ２と、ＡＦセンサユニット１３に入射する光Ｌ３とに分割する光学装置である。薄膜ミラー１４は、固定式の半透過型の薄膜ミラーであって、たとえば、入射する光Ｌ１の約７０％を撮像素子５に入射する光Ｌ２に、入射する光Ｌ１の約３０％をＡＦセンサユニット１３に入射する光Ｌ３に分割する。薄膜ミラー１４が入射光を分割することにより、撮像装置２は、ＡＦセンサユニット１３による焦点検出と、撮像素子５によるコントラスト方式の焦点検出とを、同一の被写体について同時におこなうことができる。
【００２７】
鏡胴１５は、略円筒状であり、内部にＡＦセンサユニット１３、薄膜ミラー１４を有する。鏡胴１５の鏡胴長は、撮像装置２とレンズ７の間に装着されたときに、レンズ７のマウント面から撮像素子５までの距離をレンズ７に対応したフランジバックとする長さである。鏡胴１５は、鏡胴内の薄膜ミラー１４の折り返し光路にＡＦセンサユニット１３を配置する。
【００２８】
このように、マウントアダプタ１０は、フランジバックを調整することで、デジタル一眼レフカメラに対応するレンズ７をミラーレスデジタル一眼カメラである撮像装置２に装着することを可能としている。
【００２９】
また、交換レンズがＡＦセンサを有しない場合であっても、マウントアダプタ１０がＡＦセンサユニット１３を有することで、撮像システム１は、位相差方式による焦点検出を可能としている。
【００３０】
なお、交換レンズがＡＦセンサを有せず、マウントアダプタ１０も装着しない場合、撮像装置２は、コントラスト方式による焦点検出をおこなう。したがって、撮像装置２は、撮像装置２と接続するマウントアダプタ１０、あるいは交換レンズに対応して、位相差方式による焦点検出とコントラスト方式による焦点検出とを切り替えて焦点調節をおこなう。
【００３１】
レンズ７は、デジタル一眼レフカメラに対応する交換レンズである、レンズ７は、マウント８を備えるほか、レンズを駆動する駆動機構、絞りを調節する絞り調節機構、機構部を制御するための制御部などを備える。
【００３２】
マウント８は、レンズ７を対応するデジタル一眼レフカメラに装着するための接合部である。マウント８は、デジタル一眼レフカメラに保持されるための接合部形状を有するほか、焦点検出情報や絞り値の情報など各種情報を、レンズ７とデジタル一眼レフカメラで入出力するための接点を有する。また、マウント８は、レンズ７をマウントアダプタ１０に装着するための接合部ともなる。マウント８は、デジタル一眼レフカメラと同様にマウントアダプタ１０とも、焦点検出情報や絞り値の情報など各種情報を入出力可能である。なお、レンズ７とマウントアダプタ１０との情報の入出力は、互いの制御部が直接におこなうようにしてもよいし、撮像装置２の制御部を介しておこなうようにしてもよい。
【００３３】
次に、第１の実施形態の撮像システム１のブロック構成について図２を用いて説明する。図２は、第１の実施形態の撮像システムのブロック構成例を示す図である。
【００３４】
撮像装置２は、制御部１１０、記憶部１１１、駆動部１１２、表示部１１３、撮像部１１４、コントラストＡＦ検出部１１５、および操作入力部１１６を備える。
【００３５】
記憶部１１１は、撮像装置２に装着されるマウントアダプタ１０が備える位相差ＡＦ検出部１０３のピント調整をおこなうための調整情報を記憶する。記憶部１１１は、電源遮断時にも調整情報を保持するために、たとえば、フラッシュメモリ、ＥＥＰＲＯＭ（Electrically Erasable Programmable ROM）などの不揮発性の記憶媒体で構成される。調整情報は、具体的には、位相差ＡＦ検出部１０３のデフォーカス量の調整値であるが、デフォーカス量に対応するその他の数値であってもよい。調整情報は、レンズ７毎に異なる情報となり得るから、レンズ７に対応する複数の情報を含む。レンズ７は、レンズ７が有する識別情報を制御部１１０が取得することにより識別できる。
【００３６】
駆動部１１２は、撮像装置２が備えるアクチュエータ（ソレノイド、モータ等）を駆動する。たとえば、駆動部１１２は、シャッタ３を駆動する。表示部１１３は、撮像装置２が備える表示装置に表示をおこなう。たとえば、表示部１１３は、背面ＬＣＤ４にＥＶＦとしての画像表示をおこなうほか、撮像した画像の再生表示、各種操作のユーザインタフェース表示をおこなう。
【００３７】
撮像部１１４は、撮像素子５により被写体を撮像する。コントラストＡＦ検出部（コントラスト焦点検出部）１１５は、撮像素子５を用いてコントラスト方式による焦点検出をおこなう。操作入力部１１６は、レリーズボタン、その他の操作スイッチなどであって、ＡＦ操作、シャッタ操作、表示切り替えなど撮像システム１の有する機能の選択、実行操作を受け付ける。
【００３８】
制御部１１０は、撮像装置２を統括的に制御するとともに、コントラストＡＦ検出部１１５による焦点検出にもとづいてマウントアダプタ１０が備える位相差ＡＦ検出部１０３のピント調整や、ピント調整機能の有効化／無効化の切り替えをおこなう。また、制御部１１０は、後述するマウントアダプタ１０の制御部１００との間で各種情報を入出力する。
【００３９】
マウントアダプタ１０は、制御部１００と、記憶部１０１、表示部１０２、位相差ＡＦ検出部１０３、操作入力部１０４、ＡＦ機構部１０５を備える。制御部１００は、マウントアダプタ１０を統括的に制御するとともに、撮像装置２の制御部１１０との間で各種情報を入出力する。また、制御部１００は、レンズ７の制御部１２０との間で各種情報を入出力する。制御部１００は、制御部１１０と制御部１２０間で各種情報を相互に伝達する場合の中継機能を有する。
【００４０】
記憶部１０１は、位相差ＡＦ検出部１０３のピント調整をおこなうための調整情報を記憶する。記憶部１０１は、電源遮断時にも調整情報を保持するために、たとえば、フラッシュメモリ、ＥＥＰＲＯＭなどの不揮発性の記憶媒体で構成される。調整情報は、位相差ＡＦ検出部１０３のデフォーカス量の調整値であるが、デフォーカス量に対応するその他の数値であってもよい。調整情報は、レンズ７毎に異なる情報となり得るから、レンズ７に対応する複数の情報を含む。レンズ７は、レンズ７が有する識別情報を制御部１１０が取得することにより識別できる。
【００４１】
表示部１０２は、位相差ＡＦ検出部１０３の焦点検出状態の報知表示をおこなう。たとえば、表示部１０２は、ＬＥＤ（Light Emitting Diode：発光ダイオード）であって、位相差ＡＦ検出部１０３の焦点検出状態を、ジャストピント、前ピン、後ピンとして点灯態様（色、点灯周期など）で案内表示する。
【００４２】
位相差ＡＦ検出部（位相差焦点検出部）１０３は、ＡＦセンサユニット１３を用いて位相差方式による焦点検出をおこなう。位相差ＡＦ検出部１０３は、記憶部１０１、または記憶部１１１に記憶される調整情報にもとづいて、ジャストピントとなる焦点検出位置を調整する。
【００４３】
操作入力部１０４は、ＡＦ操作ボタン、その他の操作スイッチなどであって、ＡＦ操作、表示切り替えなどマウントアダプタ１０の有する機能の選択、実行操作を受け付ける。
【００４４】
ＡＦ機構部１０５は、モータなどのアクチュエータであって、制御部１００によって駆動量が制御される。ＡＦ機構部１０５は、レンズ７のレンズ駆動部１２１と機械的に接続して駆動力を伝達（駆動力伝達部１０６）し、レンズ７のレンズを駆動して焦点調節をおこなう。このとき、制御部１００は、位相差ＡＦ検出部１０３またはコントラストＡＦ検出部１１５が検出した焦点情報にもとづいて駆動量を算出する。
【００４５】
レンズ７は、制御部１２０と、レンズ駆動部１２１を備える。制御部１２０は、レンズ７を統括的に制御するとともに、マウントアダプタ１０の制御部１００との間で各種情報を入出力する。また、制御部１２０は、レンズ７が図示しない絞り調節機構部、情報表示部などを備える場合に、これらを制御する。また、レンズ７は、レンズ駆動部１２１を駆動する駆動部を備えるようにしてもよく、その場合、制御部１２０は、制御部１００から駆動量の指示を受けて、駆動部を駆動する。
【００４６】
このようにして、撮像システム１は、撮像装置２をデジタル一眼レフカメラに対応したレンズ７に装着可能とする。そして、撮像システム１は、撮像装置２とマウントアダプタ１０で積み上がるフランジバック誤差の影響を低減した焦点調節を可能とする。
【００４７】
次に、第１の実施形態のＡＦセンサユニットのデフォーカス量調整環境について図３を用いて説明する。図３は、第１の実施形態のＡＦセンサユニットのデフォーカス量調整環境を示す図である。
【００４８】
撮像システム１は、上述した通り、撮像素子５を撮像装置２に備え、ＡＦセンサユニット１３をマウントアダプタ１０に備える構成である。そのため、撮像システム１は、寸法精度のばらつきや、加工時のばらつきなどにより、レンズ７のマウント面から撮像素子５までの距離と、レンズ７のマウント面からＡＦセンサユニット１３までの距離の各々でフランジバック（設計値）との誤差を有する。撮像装置２、マウントアダプタ１０は、それぞれ独立した商品として市場に出荷される場合が多いであろうことから、特定の撮像装置２と特定のマウントアダプタ１０の組み合わせで、あらかじめ調整することもできない。
【００４９】
また、レンズ７は、撮影用途により交換される場合があり、レンズ毎の球面収差の違いや製造誤差などは、ＡＦセンサユニット１３の焦点検出精度を低下させる要因となる。
【００５０】
したがって、撮像装置２とマウントアダプタ１０、さらにレンズ７との組み合わせ次第では、撮像システム１は、ＡＦセンサユニット１３による十分な焦点調節の精度を得ることができない。
【００５１】
しかしながら、撮像素子５を用いたコントラスト方式の焦点検出は、撮像する撮像素子上で焦点検出をおこなうため、撮像装置２とマウントアダプタ１０、さらにレンズ７との組み合わせの影響を受けることなく、十分な精度で焦点検出をおこなうことができる。
【００５２】
また、ＡＦセンサユニット１３を用いた焦点検出と、撮像素子５を用いたコントラスト方式の焦点検出とは、同一被写体に対して同時におこなうことができる。調整作業は、撮像素子５（仮想イメージャー像面）から距離Ａに位置する基準チャート９０を被写体にしておこなう。
【００５３】
撮像システム１は、コントラスト方式の合焦検出に合わせて、ＡＦセンサユニット１３を用いた焦点検出の残存デフォーカス量を０リセットする調整情報を生成し、調整情報を記憶部１１１と記憶部１０１のいずれか一方、または双方に記憶する。これにより、撮像システム１は、調整情報によりＡＦセンサユニット１３による焦点検出を調整することができる。調整情報を生成した撮像装置２、マウントアダプタ１０およびレンズ７の組み合わせにおいて、撮像システム１は、ＡＦセンサユニット１３による焦点検出の精度を向上させることができる。
【００５４】
なお、残存デフォーカス量の取得は、基準チャート９０に代えて通常の被写体を用いた焦点検出によっておこなうようにしてもよい。たとえば、基準チャート９０を用いての残存デフォーカス量の取得は、製品出荷前の工程や、サービスセンタでのメンテナンス時などにおこない、通常の被写体を用いての残存デフォーカス量の取得は、必要に応じて使用者がおこなうことができる。
【００５５】
次に、第１の実施形態のＡＦセンサユニットのデフォーカス量調整について図４から図６を用いて説明する。図４は、第１の実施形態のデフォーカス量調整処理のフローチャートである。図５は、第１の実施形態のＡＦセンサユニットのデフォーカス量調整例を示す図である。図６は、第１の実施形態の撮像装置の調整情報テーブルの一例を示す図である。
【００５６】
まず、撮像装置２が実行するデフォーカス量調整処理について説明する。デフォーカス量調整処理では、撮像装置２が並行してコントラスト方式と位相差方式の焦点検出をおこなうことによりＡＦセンサユニット１３の調整情報を取得する。
【００５７】
［ステップＳ１１］撮像装置２は、ＡＦセンサユニット１３を用いて位相差方式による焦点検出動作を開始する。
【００５８】
［ステップＳ１２］撮像装置２は、レンズ７を駆動開始する。
【００５９】
［ステップＳ１３］撮像装置２は、ＡＦセンサユニット１３の所定デフォーカス量単位でレンズ７を駆動しながら、前ピン位置からジャストピント位置を経て、後ピン位置まで焦点検出をおこなう（図５）。また、撮像装置２は、位相差方式による焦点検出に並行して、コントラスト方式による焦点検出をおこない、ＡＦセンサユニット１３のデフォーカス量毎のコントラストＡＦ出力１５０（コントラスト量）を取得する。
【００６０】
［ステップＳ１４］撮像装置２は、コントラスト量のピーク値、すなわちコントラスト方式による焦点検出の合焦時の、ＡＦセンサユニット１３の残存デフォーカス量をリセット（０クリア）する調整値（残存デフォーカス量）を取得する。撮像装置２は、調整値を、マウントアダプタ１０、レンズ７の組み合わせに対応させて記憶部１１１に記憶し、デフォーカス量調整処理を終了する。このようにして取得した調整値は、撮像装置側調整情報テーブル１３０として記憶部１１１に記憶される。なお、使用者による場合の調整値の取得は、コントラスト焦点検出部による焦点検出にもとづいて調整値を取得することに代えて、あらかじめ定めた所定ピッチの調整値（たとえば、−３Ｐ〜０〜＋３Ｐ）を選択しておこなうようにしてもよい。ここで、所定ピッチは、たとえば、レンズ駆動量などである。
【００６１】
撮像装置側調整情報テーブル１３０は、マウントアダプタ１０とレンズ７の組み合わせと、調整量とを対応付けたデータテーブルである。たとえば、マウントアダプタ（ＭＡ０）とレンズ（Ｌ０）の組み合わせは、対応する調整量が調整量（ｄｂ００）である。マウントアダプタ（ＭＡ０）でもレンズ（Ｌ１）であれば、対応する調整量は、調整量（ｄｂ０１）となる。また、レンズ（Ｌ１）でもマウントアダプタ（ＭＡ１）であれば、対応する調整量は、調整量（ｄｂ１１）となる。
【００６２】
これにより、撮像装置２は、マウントアダプタ１０、レンズ７の組み合わせに変更があっても、その都度、デフォーカス量調整処理を実行する必要がなく、撮像装置側調整情報テーブル１３０に調整量が記録されていれば、これを利用することができる。
【００６３】
なお、撮像装置２は、撮像装置２がマウントアダプタ１０を装着した際に、マウントアダプタ１０からマウントアダプタ１０の識別情報を取得して、マウントアダプタ１０の識別をおこなう。また、撮像装置２は、撮像装置２がマウントアダプタ１０を介してレンズ７を装着した際に、マウントアダプタ１０からレンズ７の識別情報を取得して、レンズ７の識別をおこなう。マウントアダプタ１０の識別情報、あるいはレンズ７の識別情報は、たとえば、個体識別コード、あるいは製品識別コードである。同一製品であっても、個体毎に誤差を有することから、個体識別コードを用いて、マウントアダプタ１０、またはレンズ７の識別をおこなうことが望ましい。なお、通常、利用者が同一製品を複数有することは、少ないと考えられることから、製品識別コードを用いて、マウントアダプタ１０、またはレンズ７の識別をおこなっても実用上問題とならない。
【００６４】
次に、撮像装置２が実行するデフォーカス量調整機能有効化処理について図７を用いて説明する。図７は、第１の実施形態のデフォーカス量調整機能有効化処理のフローチャートである。撮像装置２は、撮像装置２の電源投入時、マウントアダプタ１０またはレンズ７の装着検出時にデフォーカス量調整機能有効化処理を実行する。
【００６５】
［ステップＳ２１］撮像装置２は、マウントアダプタ１０の装着判定をおこなう。ここで、判定対象となるマウントアダプタは、ＡＦセンサユニット１３を備えるマウントアダプタ１０である。撮像装置２は、マウントアダプタ１０が装着されていると判定すれば、ステップＳ２２にすすみ、マウントアダプタ１０が装着されていないと判定すれば、デフォーカス量調整機能有効化処理を終了する。
【００６６】
［ステップＳ２２］撮像装置２は、レンズ７の装着判定をおこなう。撮像装置２は、レンズ７が装着されていると判定すれば、ステップＳ２３にすすみ、レンズ７が装着されていないと判定すれば、デフォーカス量調整機能有効化処理を終了する。
【００６７】
［ステップＳ２３］撮像装置２は、ＡＦセンサユニット１３を用いた位相差ＡＦ機能を有効化する。これにより、使用者は、位相差方式による焦点検出と、コントラスト方式による焦点検出とを使用可能になる。
【００６８】
［ステップＳ２４］撮像装置２は、ＡＦセンサユニット１３のデフォーカス量調整機能を有効化する。
【００６９】
［ステップＳ２５］撮像装置２は、装着を検出したマウントアダプタ１０とレンズ７の組み合わせに対応する調整データ（調整量）が撮像装置側調整情報テーブル１３０にあるか否かを判定する。撮像装置２は、対応する調整データがある場合にステップＳ２６にすすみ、対応する調整データがない場合にステップＳ２７にすすむ。
【００７０】
［ステップＳ２６］撮像装置２は、撮像装置側調整情報テーブル１３０からデフォーカス量（装着を検出したマウントアダプタ１０とレンズ７の組み合わせに対応する調整データ）を取得して、デフォーカス量調整機能有効化処理を終了する。これにより、ＡＦセンサユニット１３は、取得した調整データでデフォーカス量を調整して焦点検出をおこなうことができ、ピント精度が向上する。
【００７１】
［ステップＳ２７］撮像装置２は、デフォーカス量調整を案内（たとえば、表示部１１３に表示）して、デフォーカス量調整機能有効化処理を終了する。
【００７２】
このように、位相差ＡＦ機能は、マウントアダプタ１０とレンズ７の装着検出にもとづいて有効化され、撮像装置２は、マウントアダプタ１０とレンズ７の組み合わせに対応したデフォーカス量調整で、ＡＦセンサユニット１３のピント精度を向上させる。
【００７３】
次に、撮像装置２が実行する機能選択処理について図８を用いて説明する。図８は、第１の実施形態の機能選択処理のフローチャートである。機能選択処理は、操作入力部１１６の操作により、表示部１１３に操作メニューを表示して、選択された操作を実行する処理である。
【００７４】
［ステップＳ３１］撮像装置２は、デフォーカス量調整機能が有効化されているか否かを判定する。撮像装置２は、デフォーカス量調整機能が有効化されていればステップＳ３２にすすみ、デフォーカス量調整機能が有効化されていなければステップＳ３３にすすむ。
【００７５】
［ステップＳ３２］撮像装置２は、デフォーカス量調整を選択可能にして、操作メニューを表示部１１３に表示する。このとき、他に選択可能な機能があれば、操作メニューは、その他の機能を含めて表示部１１３に表示する。
【００７６】
［ステップＳ３３］撮像装置２は、デフォーカス量調整を選択不可にして、操作メニューを表示部１１３に表示する。このとき、他に選択可能な機能があれば、操作メニューは、その他の機能を表示部１１３に表示する。
【００７７】
［ステップＳ３４］撮像装置２は、操作メニューにある機能の選択操作を受け付ける。
【００７８】
［ステップＳ３５］撮像装置２は、デフォーカス量調整機能が選択されたか否かを判定する。撮像装置２は、デフォーカス量調整機能が選択された場合にステップＳ３６にすすみ、デフォーカス量調整機能が選択されていない場合にステップＳ３７にすすむ。
【００７９】
［ステップＳ３６］撮像装置２は、デフォーカス量調整処理を実行して、機能選択処理を終了する。
【００８０】
［ステップＳ３７］撮像装置２は、選択された機能の実行、またはキャンセル操作の受け付けにより機能選択処理を終了する。
【００８１】
このように、撮像システム１は、操作者によるデフォーカス量調整機能の選択、実行を可能にする。
【００８２】
［第２の実施形態］
次に、第２の実施形態のデフォーカス量調整処理について図９を用いて説明する。図９は、第２の実施形態のデフォーカス量調整処理のフローチャートである。
【００８３】
第１の実施形態のデフォーカス量調整処理がＡＦセンサユニット１３の所定デフォーカス量単位でコントラスト量を取得していたところ、第２の実施形態は、レンズ７の所定駆動量単位でコントラスト量を取得する点で相違する。第２の実施形態の詳細な説明では、撮像システムの全体構成について、断りがない限り第１の実施形態と同じものであるとして説明を省略する。
【００８４】
［ステップＳ４１］撮像装置２は、コントラスト方式による焦点検出動作を開始する。
【００８５】
［ステップＳ４２］撮像装置２は、レンズ７を駆動開始する。
【００８６】
［ステップＳ４３］撮像装置２は、所定ピッチ単位でレンズ７を駆動しながら、前ピン位置からジャストピント位置を経て、後ピン位置までおこなう。また、撮像装置２は、コントラスト方式による焦点検出に並行して、位相差方式による焦点検出をおこない、レンズ７の所定駆動量毎のＡＦセンサユニット１３のデフォーカス量を取得する。
【００８７】
［ステップＳ４４］撮像装置２は、コントラスト量のピーク値、すなわちコントラスト方式による焦点検出の合焦時の、レンズ７の駆動量に対応する残存デフォーカス量をリセット（０クリア）する調整値（残存デフォーカス量）を取得する。撮像装置２は、調整値を、マウントアダプタ１０、レンズ７の組み合わせに対応させて記憶部１１１に記憶し、デフォーカス量調整処理を終了する。このようにして取得した調整値は、撮像装置側調整情報テーブル１３０として記憶部１１１に記憶される。
【００８８】
［第３の実施形態］
次に、第３の実施形態のマウントアダプタの調整情報テーブルについて図１０を用いて説明する。図１０は、第３の実施形態のマウントアダプタの調整情報テーブルの一例を示す図である。第３の実施形態のマウントアダプタ側調整情報テーブル１４０は、マウントアダプタ１０の記憶部１０１に記憶される。また、マウントアダプタ側調整情報テーブル１４０は、撮像装置２（カメラ）とレンズ７の組み合わせと、調整量とを対応付けたデータテーブルである。たとえば、カメラ（ＣＢ０）とレンズ（Ｌ０）の組み合わせは、対応する調整量が調整量（ｄｍ００）である。カメラ（ＣＢ０）でもレンズ（Ｌ１）であれば、対応する調整量は、調整量（ｄｍ０１）となる。また、レンズ（Ｌ１）でもカメラ（ＣＢ１）であれば、対応する調整量は、調整量（ｄｍ１１）となる。
【００８９】
マウントアダプタ側調整情報テーブル１４０は、デフォーカス量調整処理により撮像装置２とレンズ７の組み合わせに対応する調整量が記録され、デフォーカス量調整機能有効化処理で読み出される。
【００９０】
これにより、撮像装置２は、マウントアダプタ１０、レンズ７の組み合わせに変更があっても、その都度、デフォーカス量調整処理を実行する必要がなく、マウントアダプタ側調整情報テーブル１４０に調整量が記録されていれば、これを利用することができる。
【００９１】
なお、撮像装置２は、撮像装置２を識別する識別情報を有する。撮像装置２は、撮像装置２がマウントアダプタ１０を介してレンズ７を装着した際に、マウントアダプタ１０からレンズ７の識別情報を取得して、レンズ７の識別をおこなう。撮像装置２の識別情報、あるいはレンズ７の識別情報は、たとえば、個体識別コード、あるいは製品識別コードである。同一製品であっても、個体毎に誤差を有することから、個体識別コードを用いて、撮像装置２、またはレンズ７の識別をおこなうことが望ましい。なお、通常、利用者が同一製品を複数有することは、少ないと考えられることから、製品識別コードを用いて、撮像装置２またはレンズ７の識別をおこなっても実用上問題とならない。
【００９２】
なお、撮像装置２に代えてマウントアダプタ１０がレンズ７、撮像装置２の識別をおこなうようにしてもよい。この場合、マウントアダプタ１０は、撮像装置２から調整情報を取得して、マウントアダプタ側調整情報テーブル１４０を生成することができる。
【００９３】
なお、第１の実施形態で説明した制御部１００、１１０、１２０は、ＣＰＵ（Central Processing Unit）によって制御されている。ＣＰＵには、バスを介してＲＡＭ（Random Access Memory）、ＲＯＭ（Read Only Memory）、通信インタフェース、入出力インタフェースが接続されている。
【００９４】
ＲＡＭには、ＣＰＵに実行させるＯＳ（Operating System）プログラムやアプリケーションプログラムの少なくとも一部が一時的に格納される。また、ＲＡＭには、ＣＰＵによる処理に必要な各種データが格納される。ＲＯＭには、ＯＳプログラムやアプリケーションプログラムが格納される。通信インタフェースは、通信線を介して他の制御部に接続されている。
【００９５】
入出力インタフェースは、各入出力部が接続される。以上のようなハードウェア構成によって、本実施の形態の処理機能を実現することができる。
【００９６】
なお、各制御部は、それぞれＦＰＧＡ（Field Programmable Gate Array）やＤＳＰ（Digital Signal Processer）などからなるモジュールを含んで構成することもでき、ＣＰＵを有しない構成とすることもできる。その場合、各制御部は、それぞれ不揮発性メモリを備え、モジュールのファームウェアを記憶する。不揮発性メモリは、可搬型記録媒体、あるいは通信インタフェースを介してファームウェアを書き込むことができる。このように各制御部は、は、不揮発性メモリに記憶されているファームウェアを書き換えることにより、ファームウェアの更新をすることもできる。
【００９７】
なお、第１の実施形態から第３の実施形態まででは、マウントアダプタ１０を備える撮像システム１について説明したが、レフレックスミラーに代えて薄膜ミラー１４（光学装置）を備える撮像装置にも応用可能である。このような撮像装置は、薄膜ミラー１４が分割する入射光の一方の分割光（たとえば、透過光）側に、撮像素子によりコントラストから焦点検出をおこなうコントラスト焦点検出部を備える。また、このような撮像装置は、薄膜ミラー１４が分割する入射光の他方の分割光（たとえば、反射光）側に、位相差から焦点検出をおこなう位相差焦点検出部を備えることができる。この場合に、このような撮像装置は、コントラスト焦点検出部による焦点検出にもとづいて、位相差焦点検出部のピント位置を調整することができる。また、このような撮像装置は、交換レンズの装着検出によりピント位置の調整制御を有効化するようにしてもよい。
【００９８】
なお、上述の実施の形態は、実施の形態の要旨を逸脱しない範囲内において種々の変更を加えることができる。
【００９９】
さらに、上述の実施の形態は、多数の変形、変更が当業者にとって可能であり、説明した正確な構成および応用例に限定されるものではない。
【符号の説明】
【０１００】
１……撮像システム、２……撮像装置、３……シャッタ、４……背面ＬＣＤ、５……撮像素子、６，８，１１，１２……マウント、７……レンズ、１０……マウントアダプタ、１３……ＡＦセンサユニット、１４……薄膜ミラー、１５……鏡胴、９０……基準チャート、１００，１１０，１２０……制御部、１０１，１１１……記憶部、１０２，１１３……表示部、１０３……位相差ＡＦ検出部、１０４，１１６……操作入力部、１０５……ＡＦ機構部、１０６……駆動力伝達部、１１４……撮像部、１１５……コントラストＡＦ検出部、１２１……レンズ駆動部、１３０……撮像装置側調整情報テーブル、１４０……マウントアダプタ側調整情報テーブル、１５０……コントラストＡＦ出力
【図１】
0005821187.tif 000002
【図２】
0005821187.tif 000003
【図３】
0005821187.tif 000004
【図４】
0005821187.tif 000005
【図５】
0005821187.tif 000006
【図６】
0005821187.tif 000007
【図７】
0005821187.tif 000008
【図８】
0005821187.tif 000009
【図９】
0005821187.tif 000010
【図１０】
0005821187.tif 000011